(57)【要約】      （修正有）【課題】電磁書き込みユニット及びインクと電磁書き込み機能を兼ね備える電磁式手書きペンを提供する。【解決手段】電磁式手書きペンは、ハウジングユニット１、インク書き込みユニット２及び電磁書き込みユニット３を含む。ハウジングユニットはペン状ハウジング構造１０を含む。インク書き込みユニットは、書き込みペン先を備えるインク用ペン芯２０を含む。電磁書き込みユニットはペン状ハウジング構造の内部に設置され、書き込みペン先から離れる回路基板３０と、回路基板に近接する電気的伝導体３１と、回路基板と電気的伝導体との間に絶縁的に設置される弾性素子３２と、書き込みペン先に近接すると共に、回路基板に電気的に接続される磁性構造と、を含む。回路基板は、電気的伝導体に近接して対向する少なくとも二つの電極部３００を備える。インク用ペン芯の移動により二つの電極部は電気的伝導体を介して互いに電気的に接続する。【選択図】図９
0003189456.tif 000002
【実用新案登録請求の範囲】
【請求項１】
ハウジングユニット、インク書き込みユニット及び電磁書き込みユニットを含み、
前記ハウジングユニットはペン状ハウジング構造を含み、
前記インク書き込みユニットは、前記ペン状ハウジング構造の内部に設置されるインク用ペン芯と、前記ペン状ハウジング構造の内部に設置されるペン芯伸縮制御構造とを含み、
前記インク用ペン芯は、インクを提供するための書き込みペン先を備え、
前記インク用ペン芯の前記書き込みペン先は、前記ペン芯伸縮制御構造により前記ペン状ハウジング構造の外部に伸び出す若しくは前記ペン状ハウジング構造の内部に戻り込み、
前記電磁書き込みユニットは前記ペン状ハウジング構造の内部に設置され、
前記電磁書き込みユニットは、前記書き込みペン先から離れる回路基板と、前記回路基板に近接する電気的伝導体と、前記回路基板と前記電気的伝導体との間に絶縁的に設置される弾性素子と、前記書き込みペン先に近接すると共に、前記回路基板に電気的に接続される磁性構造と、を含み、
前記回路基板は、前記電気的伝導体に近接して対向する少なくとも二つの電極部を備え、
前記電気的伝導体は前記インク用ペン芯の移動により前記回路基板における少なくとも二つの前記電極部に同時に接触すると、少なくとも二つの前記電極部は前記電気的伝導体を介して互いに電気的に接続することを特徴とするインクと電磁書き込み機能を兼ね備える電磁式手書きペン。
【請求項２】
少なくとも二つの前記電極部は前記回路基板の同一側面に設置され、
前記回路基板は、少なくとも二つの前記電極部の間に設置される絶縁部を備え、
前記電気的伝導体は少なくとも二つの前記電極部と対向する接触面と、前記接触面より内側に陥没する陥没部と、を有し、
前記電磁書き込みユニットにおける前記弾性素子は、前記回路基板における前記絶縁部に嵌め込まれる第１の末端部と、前記電気的伝導体における前記陥没部の内部に収容される第２の末端部と、を有することを特徴とする請求項１に記載のインクと電磁書き込み機能を兼ね備える電磁式手書きペン。
【請求項３】
前記電磁書き込みユニットは、前記回路基板に接続されており、前記電気的伝導体に対する前記回路基板の所定のピッチを調整するためのピッチ調整構造を含み、
前記回路基板における各前記電極部の最外層は、前記電気的伝導体に接触するための硬質金属層を有することを特徴とする請求項１に記載のインクと電磁書き込み機能を兼ね備える電磁式手書きペン。
【請求項４】
前記インク書き込みユニットは、前記ペン状ハウジング構造の内部に設置されており、前記インク用ペン芯を支持するための支持構造と、前記インク用ペン芯と前記電気的伝導体との間に設置されるペン芯座と、前記支持構造の上に嵌められる弾性素子とを含むことを特徴とする請求項１に記載のインクと電磁書き込み機能を兼ね備える電磁式手書きペン。
【請求項５】
前記支持構造は少なくとも二つの位置規制凹溝を有し、
前記ペン芯座は少なくとも二つの前記位置規制凹溝の内部に収容される少なくとも二つの位置規制凸部を有し、
前記インク用ペン芯は、前記書き込みペン先と対向しており、前記ペン芯座の内部に係止される後端部を有し、
前記支持構造の外表面には外側当接部が設けられ、
前記ペン状ハウジング構造の内表面には前記外側当接部に対応する内側当接部が設けられ、
前記インク書き込みユニットの前記弾性素子における対向する二つの末端は前記支持構造の前記外側当接部及び前記ペン状ハウジング構造の前記内側当接部にそれぞれ当接されることを特徴とする請求項４に記載のインクと電磁書き込み機能を兼ね備える電磁式手書きペン。
【請求項６】
前記電磁書き込みユニットにおける前記回路基板及び前記電気的伝導体はともに前記支持構造に設置され、
前記電磁書き込みユニットは、前記ペン芯座と前記電気的伝導体との間に設置されると共に、前記電気的伝導体の上に嵌められる緩衝素子と、前記支持構造を挿通して前記回路基板に接続されるボルトと、を更に含み、
前記回路基板は、前記ボルトの回転により、前記電気的伝導体に対する前記回路基板の所定のピッチを調整することを特徴とする請求項４に記載のインクと電磁書き込み機能を兼ね備える電磁式手書きペン。
【請求項７】
前記ペン状ハウジング構造は、ペン先端部と、前記ペン先端部と対向するペン後端部と、を有し、
前記ペン芯伸縮制御構造は、前記ペン状ハウジング構造における前記ペン後端部から部分的に露出される押圧ボタンを含むことを特徴とする請求項６に記載のインクと電磁書き込み機能を兼ね備える電磁式手書きペン。
【請求項８】
前記押圧ボタンは前記ペン芯伸縮制御構造、前記支持構造及び前記ペン芯座を順に通すことによって、前記ペン状ハウジング構造における前記ペン先端部の外部に伸び出す若しくは前記ペン状ハウジング構造における前記ペン先端部の内部に戻り込むように前記インク用ペン芯の前記書き込みペン先を移動させ、
前記インク用ペン芯は前記ペン芯座及び前記緩衝素子を順に通過することによって、前記回路基板における少なくとも二つの前記電極部に同時に接触するように前記電気的伝導体を押すことを特徴とする請求項７に記載のインクと電磁書き込み機能を兼ね備える電磁式手書きペン。
【請求項９】
ハウジングユニット、インク書き込みユニット及び電磁書き込みユニットを含み、
前記ハウジングユニットは、ペン先端部と、前記ペン先端部と対向するペン後端部と、を有するペン状ハウジング構造を含み、
前記インク書き込みユニットは、前記ペン状ハウジング構造の内部に設置されるインク用ペン芯を含み、
前記電磁書き込みユニットは前記ペン状ハウジング構造の内部に設置されており、前記ペン後端部に近接する回路基板と、前記回路基板に近接する電気的伝導体と、前記回路基板と前記電気的伝導体との間に絶縁的に設置される弾性素子と、前記ペン先端部に近接すると共に、前記回路基板に電気的に接続される磁性構造と、を含み、
前記回路基板は、前記電気的伝導体に近接して対向する少なくとも二つの電極部を備え、
前記電気的伝導体が前記インク用ペン芯の移動により前記回路基板における少なくとも二つの前記電極部に同時に接触すると、少なくとも二つの前記電極部は前記電気的伝導体を介して互いに電気的に接続することを特徴とするインクと電磁書き込み機能を兼ね備える電磁式手書きペン。
【請求項１０】
少なくとも二つの前記電極部は前記回路基板の同一側面に設置され、
前記回路基板は、少なくとも二つの前記電極部の間に設置される絶縁部を備え、
前記電気的伝導体は少なくとも二つの前記電極部と対向する接触面と、前記接触面より内側に陥没する陥没部と、を有し、
前記電磁書き込みユニットにおける前記弾性素子は、前記回路基板における前記絶縁部に嵌め込まれる第１の末端部と、前記電気的伝導体における前記陥没部の内部に収容される第２の末端部と、を有することを特徴とする請求項９に記載のインクと電磁書き込み機能を兼ね備える電磁式手書きペン。
【請求項１１】
前記電磁書き込みユニットは、前記回路基板に接続されており、前記電気的伝導体に対する前記回路基板の所定のピッチを調整するためのピッチ調整構造を含み、
前記回路基板における各前記電極部の最外層は、前記電気的伝導体に接触するための硬質金属層を有することを特徴とする請求項９に記載のインクと電磁書き込み機能を兼ね備える電磁式手書きペン。
【請求項１２】
前記インク書き込みユニットは、前記ペン状ハウジング構造の内部に設置されており、前記インク用ペン芯を支持するための支持構造と、前記インク用ペン芯と前記電気的伝導体との間に設置されるペン芯座と、前記支持構造の上に嵌められる弾性素子とを含むことを特徴とする請求項９に記載のインクと電磁書き込み機能を兼ね備える電磁式手書きペン。
【請求項１３】
前記支持構造は少なくとも二つの位置規制凹溝を有し、
前記ペン芯座は少なくとも二つの前記位置規制凹溝の内部に収容される少なくとも二つの位置規制凸部を有し、
前記インク用ペン芯は、前記書き込みペン先と対向しており、前記ペン芯座の内部に係止される後端部を有し、
前記支持構造の外表面には外側当接部が設けられ、
前記ペン状ハウジング構造の内表面には前記外側当接部に対応する内側当接部が設けられ、
前記インク書き込みユニットの前記弾性素子における対向する二つの末端は前記支持構造の前記外側当接部及び前記ペン状ハウジング構造の前記内側当接部にそれぞれ当接されることを特徴とする請求項１２に記載のインクと電磁書き込み機能を兼ね備える電磁式手書きペン。
【請求項１４】
前記電磁書き込みユニットにおける前記回路基板及び前記電気的伝導体はともに前記支持構造に設置され、
前記電磁書き込みユニットは、前記ペン芯座と前記電気的伝導体との間に設置されると共に、前記電気的伝導体の上に嵌められる緩衝素子と、前記支持構造を挿通して前記回路基板に接続されるボルトと、を更に含み、
前記回路基板は、前記ボルトの回転により、前記電気的伝導体に対する前記回路基板の所定のピッチを調整することを特徴とする請求項１３に記載のインクと電磁書き込み機能を兼ね備える電磁式手書きペン。
【請求項１５】
ペン状ハウジング構造を有する電磁式手書きペンの内部に用いられる電磁書き込みユニットであって、
前記ペン状ハウジング構造のペン後端部に近接するように前記ペン状ハウジング構造の内部に設置される回路基板と、
前記回路基板に近接するように前記ペン状ハウジング構造の内部に設置される電気的伝導体と、
前記回路基板と前記電気的伝導体との間に絶縁的に設置されるように前記ペン状ハウジング構造の内部に設置される弾性素子と、
前記ペン状ハウジング構造のペン先端部に近接するように前記ペン状ハウジング構造の内部に設置されており、前記回路基板に電気的に接続される磁性構造と、を含み、
前記回路基板は、前記電気的伝導体に近接して対向する少なくとも二つの電極部を備え、
前記電気的伝導体が前記回路基板における少なくとも二つの前記電極部に同時に接触すると、少なくとも二つの前記電極部は前記電気的伝導体を介して互いに電気的に接続することを特徴とする電磁書き込みユニット。
【考案の詳細な説明】
【技術分野】
【０００１】
本考案は、電磁書き込みユニット（electromagnetic writing unit）及び電磁式手書きペン（electromagnetic handwriting pen)に関するものであり、特に電磁式手書きペンに用いられる電磁書き込みユニット及びインクと電磁書き込み機能を兼ね備える電磁式手書きペンに関するものである。
【背景技術】
【０００２】
従来の電子ホワイトボード（electronic whiteboard）は、書き込み面を裏面に巻き取って走査することができるホワイトボードである。従来の電子ホワイトボードは、電磁信号を出力することができずインクで書き込むしかできない従来のホワイトボードペンにより、インクで従来の電子ホワイトボードの書き込み面に書き込んだ後、その書き込み面を電子ホワイトボードの裏面に巻き取ってその裏面に設置される走査装置によりその書き込み面を走査すると共に、その走査結果を記憶装置に記憶したり、若しくはプリント装置によりプリントしたりする。
【０００３】
また、電子ホワイトボードの発展に従い、電磁誘導技術が電子ホワイトボードによく用いられる。そのため、電磁誘導技術により、書き込み面に書き込まれたデータを入力すると共にそのデータをデジタルデータに変換して記憶する電磁式電子ホワイトボードが開発されている。電磁式電子ホワイトボードにおいて、電磁信号を検出することによってホワイトペンの位置及び移動軌跡を記憶する必要があるため、インクで書き込むしかできない従来のホワイトボードは適用できない。インクで書き込むしかできない従来のホワイトボードを使用する場合、インクで電磁式電子ホワイトボードに書き込むしかできないため、やむなく電磁式電子ホワイトボードを従来のホワイトボードとして使用せざるを得ない。その場合、従来のホワイトペンは、電磁式電子ホワイトボードにホワイトペンの位置及び移動軌跡を記憶させるための電磁信号を発することができないため、インクで電磁式電子ホワイトボードに書き込むと同時に電磁式電子ホワイトボードに書き込まれたデータをデジタル情報に変換して電磁式電子ホワイトボードに記憶することができない。
【０００４】
上述した従来のホワイトペンの欠点を解消するために、如何にしてインクで電磁式電子ホワイトボードに書き込むと同時に電磁式電子ホワイトボードに書き込まれたデータをデジタル情報に変換して記憶することができる、電磁式電子ホワイトボードに適用できるインクによる書き込みと電磁による入力の機能を兼ね備える電磁式ホワイトペンが極めて期待されている。
【考案の概要】
【考案が解決しようとする課題】
【０００５】
本考案は、「従来のホワイトペンは、電磁式電子ホワイトボードにホワイトペンの位置及び移動軌跡を記憶させるための電磁信号を発することができないため、インクで電磁式電子ホワイトボードに書き込むと同時に電磁式電子ホワイトボードに書き込まれたデータをデジタル情報に変換して電磁式電子ホワイトボードに記憶することができない」との従来技術の欠点を有効に解決することができる電磁書き込みユニット及びインクと電磁書き込み機能を兼ね備える電磁式手書きペンを提供することを課題とする。
【課題を解決するための手段】
【０００６】
本考案の第１の態様に係るインクと電磁書き込み機能を兼ね備える電磁式手書きペンは、ハウジングユニット、インク書き込みユニット及び電磁書き込みユニットを含む。前記ハウジングユニットはペン状ハウジング構造を含む。前記インク書き込みユニットは、前記ペン状ハウジング構造の内部に設置されるインク用ペン芯と、前記ペン状ハウジング構造の内部に設置されるペン芯伸縮制御構造とを含む。前記インク用ペン芯は、インクを提供するための書き込みペン先を備える。前記インク用ペン芯の前記書き込みペン先は、前記ペン芯伸縮制御構造により前記ペン状ハウジング構造の外部に伸び出したり前記ペン状ハウジング構造の内部に戻り込んだりする。前記電磁書き込みユニットは前記ペン状ハウジング構造の内部に設置される。前記電磁書き込みユニットは、前記書き込みペン先から離れる回路基板と、前記回路基板に近接する電気的伝導体と、前記回路基板と前記電気的伝導体との間に絶縁的に設置される弾性素子と、前記書き込みペン先に近接すると共に、前記回路基板に電気的に接続される磁性構造と、を含む。前記回路基板は、前記電気的伝導体に近接して対向する少なくとも二つの電極部を備える。これにより、前記電気的伝導体は前記インク用ペン芯の移動により前記回路基板における少なくとも二つの前記電極部に同時に接触すると、前記少なくとも二つの電極部は前記電気的伝導体を介して互いに電気的に接続する。
【０００７】
本考案の第２の態様に係るインクと電磁書き込み機能を兼ね備える電磁式手書きペンは、ハウジングユニット、インク書き込みユニット及び電磁書き込みユニットを含む。前記ハウジングユニットはペン状ハウジング構造を含む。前記ハウジングユニットは、ペン先端部と前記ペン先端部と対向するペン後端部とを有するペン状ハウジング構造を含む。前記インク書き込みユニットは、前記ペン状ハウジング構造の内部に設置されるインク用ペン芯を含む。前記電磁書き込みユニットは前記ペン状ハウジング構造の内部に設置される。前記電磁書き込みユニットは、前記ペン後端部に近接する回路基板と、前記回路基板に近接する電気的伝導体と、前記回路基板と前記電気的伝導体との間に絶縁的に設置される弾性素子と、前記ペン先端部に近接すると共に、前記回路基板に電気的に接続される磁性構造と、を含む。前記回路基板は、前記電気的伝導体に近接して対向する少なくとも二つの電極部を備える。これにより、前記電気的伝導体は前記インク用ペン芯の移動により前記回路基板における少なくとも二つの前記電極部に同時に接触すると、前記少なくとも二つの電極部は前記電気的伝導体を介して互いに電気的に接続する。
【０００８】
本考案の第３の態様に係る電磁書き込みユニットは、ペン状ハウジング構造を有する電磁式手書きペンの内部に用いられる。前記電磁書き込みユニットは、回路基板、電気的伝導体、弾性素子及び磁性構造を含む。前記回路基板は、前記ペン状ハウジング構造のペン後端部に近接するように前記ペン状ハウジング構造の内部に設置される。前記電気的伝導体は、前記回路基板に近接するように前記ペン状ハウジング構造の内部に設置される。前記弾性素子は、前記回路基板と前記電気的伝導体との間に絶縁的に設置されるように前記ペン状ハウジング構造の内部に設置される。前記磁性構造は、前記ペン状ハウジング構造のペン先端部に近接するように前記ペン状ハウジング構造の内部に設置される。前記磁性構造は、前記回路基板に電気的に接続される。前記回路基板は、前記電気的伝導体に近接して対向する少なくとも二つの電極部を備える。これにより、前記電気的伝導体は前記回路基板における少なくとも二つの前記電極部に同時に接触すると、前記少なくとも二つの電極部は前記電気的伝導体を介して互いに電気的に接続する。
【考案の効果】
【０００９】
本考案に係る電磁式手書きペンによれば、「インク書き込み機能を提供することができるインク書き込みユニット」との設計及び「電磁書き込み機能を提供することができる電磁書き込みユニット」との設計により、電磁式手書きペンはインクと電磁書き込み機能を兼ね備えることができる。また、本考案に係る電磁式手書きペンによれば、「回路基板と電気的伝導体との間に絶縁的に設置される弾性素子」との設計及び「回路基板は電気的伝導体に近接して対向する少なくとも二つの電極部を備える」との設計により、電気的伝導体はインク用ペン芯の移動により回路基板における少なくとも二つの電極部に同時に接触すると、少なくとも二つの電極部は電気的伝導体を介して互いに電気的に接続することによって、ユーザーは電磁式手書きペンによりインク書き込み及び電磁書き込みを同時に行うことができる。
【図面の簡単な説明】
【００１０】
【図１】本考案に係る電磁式手書きペンの一方の視角から見た立体分解模式図を示す。
【図２】本考案に係る電磁式手書きペンの他方の視角から見た立体分解模式図を示す。
【図３】図１の一部拡大模式図を示す。
【図４】図２の一部拡大模式図を示す。
【図５】図３の分解模式図を示す。
【図６】図４の分解模式図を示す。
【図７】本考案に係る電磁式手書きペンの側面の組立模式図を示す。
【図８】図７におけるＡ−Ａ断線の断面模式図を示す。
【図９】図８におけるＡ部分の拡大模式図を示す。
【図１０】図９における電気的伝導体が二つの電極部に同時に接触する場合の模式図を示す。
【考案を実施するための形態】
【００１１】
本考案の特徴及び技術内容を更に理解することができるように、以下、本考案について図面を参照しながら詳細に説明する。但し、図面は、本考案の参考及び説明のために提供するものに過ぎず、本考案を制限するものではない。
【００１２】
図１〜図１０を参照しながら説明する。図１は本考案に係る電磁式手書きペンの一方の視角から見た立体分解模式図を示す。図２は本考案に係る電磁式手書きペンの他方の視角から見た立体分解模式図を示す。図３は図１の一部拡大模式図を示す。図４は図２の一部拡大模式図を示す。図５は図３の分解模式図を示す。図６は図４の分解模式図を示す。図７は本考案に係る電磁式手書きペンの側面の組立模式図を示す。図８は図７におけるＡ−Ａ断線の断面模式図を示す。図９は図８におけるＡ部分の拡大模式図を示す。図１０は図９における電気的伝導体が二つの電極部に同時に接触する場合の模式図を示す。図１〜図１０から分かるように、本考案に係るインクと電磁書き込み機能を兼ね備える電磁式手書きペンはハウジングユニット１、インク書き込みユニット２及び電磁書き込みユニット３を含む。
【００１３】
図１、図２及び図７に示すように、ハウジングユニット１は、ペン先端部１００１と当該ペン先端部１００１と対向するペン後端部１００２を有するペン状ハウジング構造１０を含む。例を挙げて説明すると、図１及び図２に示すように、ペン状ハウジング構造１０は主に、第１のペン胴体ハウジング１００と、第１のペン胴体ハウジング１００における一方の末端部に相互に合わせる第２のペン胴体ハウジング１０１と、第１のペン胴体ハウジング１００における他方の末端部に相互に合わせるペン先端部蓋体１０２と、第２のペン胴体ハウジング１０１における他方の末端部に相互に合わせるペン後端部に相互に合わせるペン後端部蓋体１０３とにより構成される。また、これは例示に過ぎず、本考案に限定されるものではない。
【００１４】
また、図１、図２及び図８に示すように、インク書き込みユニット２は、ペン状ハウジング構造１０の内部に設置されるインク用ペン芯２０と、ペン状ハウジング構造１０の内部に設置されるペン芯伸縮制御構造２１と、を含む。更に詳しく説明すると、インク用ペン芯２０は、インクを提供するための書き込みペン先２００を備える。また、インク用ペン芯２０の書き込みペン先２００は、ペン芯伸縮制御構造２１によりペン状ハウジング構造１０の外部に伸び出したりペン状ハウジング構造１０の内部に戻り込んだりする。言い換えれば、ユーザーは、ペン芯伸縮制御構造２１の操作により、インク用ペン芯２０の書き込みペン先２００をペン状ハウジング構造１０におけるペン先端部１００１の外部に押し出したり、インク用ペン芯２０の書き込みペン先２００をペン状ハウジング構造１０におけるペン先端部１００１の内部に引き戻したりする。
【００１５】
また、図３、図６、図８及び図１０に示すように、電磁書き込みユニット３はペン状ハウジング構造１０の内部に設置される。電磁書き込みユニット３は、書き込みペン先２００から離れる（若しくはペン状ハウジング構造１０におけるペン後端部１００２に近接する）回路基板３０と、回路基板３０に近接する電気的伝導体３１と、回路基板３０と電気的伝導体３１との間に絶縁的に設置される弾性素子３２（例えば圧縮ばね又は弾性片など）と、書き込みペン先２００に近接する（若しくはペン状ハウジング構造１０におけるペン先端部１００１に近接する）と共に、導電ワイヤ（図示せず）を介して回路基板３０に電気的に接続される磁性構造３３と、を含む。回路基板３０は、電気的伝導体３１に近接して対向する少なくとも二つの電極部３００を備える。また、図９及び図１０に示すように、ユーザーは電磁式手書きペンＰで書く場合、電気的伝導体３１がインク用ペン芯２０を介して所定の方向（図９に示す矢印方向）へ押されることによって、電気的伝導体３１は回路基板３０における少なくとも二つの電極部３００（図１０に示す）に同時に接触すると、少なくとも二つの電極部３００は電気的伝導体３１を介して相互に電気的に接続する。これにより、ユーザーは電磁式手書きペンＰによりインク書き込み及び電磁書き込みを同時に行うことができる。
【００１６】
図１〜図６及び図８〜図１０を参照してインク書き込みユニット２を更に説明する。インク書き込みユニット２は、ペン状ハウジング構造１０の内部に設置されており、インク用ペン芯２０を支持するための支持構造２２と、インク用ペン芯２０と電気的伝導体３１との間に設置されるペン芯座２３と、支持構造２２の上に嵌められる弾性素子２４（例えば圧縮ばね又は弾性片）とを含む。また、支持構造２２は、少なくとも二つの位置規制凹溝２２０を有する。ペン芯座２３は少なくとも二つの位置規制凹溝２２０の内部に収容される少なくとも二つの位置規制凸部２３０を有するため、ペン芯座２３は少なくとも二つの位置規制凸部２３０及び少なくとも二つの位置規制凹溝２２０の組み合わせにより、ペン芯座２３が支持構造２２のにおける軸方向へ移動する距離を規制する。また、インク用ペン芯２０は、書き込みペン先２００と対向しており、ペン芯座２３の内部に係止される後端部２０１を有する。これにより、インク用ペン芯２０は、後端部２０１によりペン芯座２３を押すことによって軸方向へ移動することができる。
【００１７】
また、図１、図２及び図８に示すように、支持構造２２の外表面には外側当接部２２１が設けられる。ペン状ハウジング構造１０の内表面には外側当接部２２１に対応する内側当接部１００３が設けられる。インク書き込みユニット２の弾性素子２４における対向する二つの末端が支持構造２２の外側当接部２２１及びペン状ハウジング構造１０の内側当接部１００３にそれぞれ当接されることによって、弾性素子２４が支持構造２２の外側当接部２２１とペン状ハウジング構造１０の内側当接部１００３との間に位置規制される。また、図７、図８及び図９に示すように、ペン芯伸縮制御構造２１は、ペン状ハウジング構造１０におけるペン後端部１００２から部分的に露出される押圧ボタン２１０を含む。押圧ボタン２１０はペン芯伸縮制御構造２１、支持構造２２及びペン芯座２３を順に通すことによって、ペン状ハウジング構造１０におけるペン先端部１００の外部に伸び出したり、若しくはペン状ハウジング構造１０におけるペン先端部１００１の内部に戻り込んだりするようにインク用ペン芯２０の書き込みペン先２００を移動させる。
【００１８】
図３〜図６、図８及び図９を参照しながら電磁書き込みユニット３について更に説明する。電磁書き込みユニット３における回路基板３０及び電気的伝導体３１はともに支持構造２２に設置される。少なくとも二つの電極部３００は、回路基板３０における同一の側面に設置される。回路基板３０は、少なくとも二つの電極部３００の間に設置される絶縁部３０１を備える。例を挙げて説明すると、図５に示すように、回路基板３０における各電極部３００の最外層は、少なくとも二つの電極部３００の耐摩耗性を向上するように、電気的伝導体３１に接触するための硬質金属層３０００を有する。また、電気的伝導体３１は、少なくとも二つの電極部３００と対向する接触面３１０と、接触面３１０より内側に陥没する陥没部３１１と、を有する。また、電磁書き込みユニット３における弾性素子３２は、回路基板３０における絶縁部３０１に嵌め込まれる第１の末端部３２１と、電気的伝導体３１における陥没部３１１の内部に収容される第２の末端部３２２と、を有する。これにより、本考案において、弾性素子３２により、電気的伝導体３１における接触面３１０を同時で回路基板３０における少なくとも二つの電極部３００に均一に接触させることができる。
【００１９】
また、図３〜図６、図８及び図９に示すように、電磁書き込みユニット３は、回路基板３０に接続されており、電気的伝導体３１に対する回路基板３０の所定のピッチｄを調整するためのピッチ調整構造を含む。更に詳しく説明すると、電磁書き込みユニット３は、ペン芯座２３と電気的伝導体３１との間に設置されると共に、電気的伝導体３１の上に嵌められる緩衝素子３４と、支持構造２２を挿通して回路基板３０に接続されるボルト３５と、を更に含む。また、回路基板３０は、ボルト３５の時計回り方向又は反時計回り方向の回転により、電気的伝導体３１に対する回路基板３０の所定のピッチｄを調整することができる。また、図９に示すように、インク用ペン芯２０はペン芯座２３及び緩衝素子３４を順に通過することによって、回路基板３０における少なくとも二つの電極部３００に同時に接触するように電気的伝導体３１を押すことができる。
【００２０】
また、本考案は、あらゆる電磁式手書きペンＰの内部に適用できる電磁書き込みユニット３を更に提供する。電磁書き込みユニット３は、回路基板３０、電気的伝導体３１、弾性素子３２及び磁性構造３３を含む。更に詳しく説明すると、回路基板３０は、ペン状ハウジング構造１０におけるペン後端部１００２に近接するようにペン状ハウジング構造１０の内部に設置される。電気的伝導体３１は、回路基板３０に近接するようにペン状ハウジング構造１０の内部に設置される。回路基板３０は、電気的伝導体３１に対向して近接する少なくとも二つの電極部３００を備える。弾性素子３２は、回路基板３０と電気的伝導体３１との間に絶縁的に接続されるようにペン状ハウジング構造１０の内部に設置される。磁性構造３３は、ペン状ハウジング構造１０におけるペン先端部１００１に近接するようにペン状ハウジング構造１０の内部に設置される。磁性構造３３は、導電ワイヤ（図示せず）を介して回路基板３０に電気的に接続される。電気的伝導体３１が回路基板３０における少なくとも二つの電極部３００に同時に接続されると、少なくとも二つの電極部３００は電気的伝導体３１を介して互いに電気的に接続される。これにより、ユーザーは、電磁書き込みユニット３を備える電磁式手書きペンＰにより電磁書き込みを行うことができる。
【００２１】
（実施例の効果）
本考案に係る電磁式手書きペンＰによれば、「インク書き込み機能を提供することができるインク書き込みユニット２」との設計及び「電磁書き込み機能を提供することができる電磁書き込みユニット３」との設計により、電磁式手書きペンＰはインクと電磁書き込み機能を兼ね備えることができる。また、本考案に係る電磁式手書きペンＰによれば、「回路基板３０と電気的伝導体３１との間に絶縁的に設置される弾性素子３２」との設計及び「回路基板３０は電気的伝導体３１に近接して対向する少なくとも二つの電極部３００を備える」との設計により、電気的伝導体３１はインク用ペン芯２０の移動により回路基板３０における少なくとも二つの電極部３００に同時に接触すると、少なくとも二つの電極部３００は電気的伝導体３１を介して互いに電気的に接続することによって、ユーザーは電磁式手書きペンＰによりインク書き込み及び電磁書き込みを同時に行うことができる。
【００２２】
上述した実施例は、本考案の好ましい実施態様に過ぎず、本考案の実施の範囲を限定するものではなく、本考案の明細書及び図面内容に基づいてなされた均等な変更及び付加は、いずれも本考案の権利範囲内に含まれるものとする。
【符号の説明】
【００２３】
１  ハウジングユニット
２  インク書き込みユニット
３  電磁書き込みユニット
１０  ペン状ハウジングユニット
２０  インク用ペン芯
２１  ペン芯伸縮制御構造
２２  支持構造
２３  ペン芯座
２４  弾性素子
３０  回路基板
３１  電気的伝導体
３２  弾性素子
３３  磁性構造
３４  緩衝素子
３５  ボルト
１００  第１のペン胴体ハウジング
１０１  第２のペン胴体ハウジング
１０２  ペン先端部蓋体
１０３  ペン後端部蓋体
２００  書き込みペン先
２０１  後端部
２１０  押圧ボタン
２２０  位置規制凹溝
２２１  外側当接部
２３０  位置規制凸部
３００  電極部
３０１  絶縁部
３１０  接触面
３１１  陥没部
３２１  第１の末端部
３２２  第２の末端部
１００１  ペン先端部
１００２  ペン後端部
１００３  内側当接部
３０００  硬質金属層
ｄ  所定のピッチ
Ｐ  電磁式手書きペン
【図１】
0003189456.tif 000003
【図２】
0003189456.tif 000004
【図３】
0003189456.tif 000005
【図４】
0003189456.tif 000006
【図５】
0003189456.tif 000007
【図６】
0003189456.tif 000008
【図７】
0003189456.tif 000009
【図８】
0003189456.tif 000010
【図９】
0003189456.tif 000011
【図１０】
0003189456.tif 000012